(57)【要約】【課題】第１の通信網と第２の通信網との間の通信を継続することが可能な通信システムを提供する。【解決手段】第１の通信網（３１）を制御する第１の制御装置（１２）と、第２の通信網（３２）を制御する第２の制御装置（１４）と、第１の制御装置（１２）と第２の制御装置（１４）とに接続する中継装置（１５、１５'）と、中継装置（１５、１５'）を管理する認証装置（１３）と、を有して構成し、認証装置（１３）は、第１の通信網（３１）と第２の通信網（３２）との少なくとも一方の通信網（３１、３２）に接続中の中継装置（１５、１５'）を管理する管理手段（５０）を有し、管理手段（５０）で管理している接続中の中継装置（１５、１５'）を第１の制御装置（１２）と第２の制御装置（１４）との間で引き継ぎ、第１の通信網（３１）と第２の通信網（３２）との間の通信を継続することを特徴とする。【選択図】図１
2008278244.tif 000002
【特許請求の範囲】
【請求項１】
第１の通信網を制御する第１の制御装置と、第２の通信網を制御する第２の制御装置と、前記第１の制御装置と前記第２の制御装置とに接続する中継装置と、前記中継装置を管理する認証装置と、を有して構成される通信システムであって、
前記認証装置は、第１の通信網と第２の通信網との少なくとも一方の通信網に接続中の中継装置を管理する管理手段を有し、
前記管理手段で管理している接続中の中継装置を前記第１の制御装置と前記第２の制御装置との間で引き継ぎ、第１の通信網と第２の通信網との間の通信を継続することを特徴とする通信システム。
【請求項２】
前記第１の制御装置は、前記認証装置と接続しており、
前記第２の制御装置は、前記中継装置を介して前記認証装置と接続しており、
前記第２の制御装置は、当該第２の制御装置と接続する中継装置を選択し、該選択した中継装置が第１の通信網と接続中の中継装置と異なる場合には、当該選択した中継装置からの指示により、第１の通信網と接続中の中継装置と接続し、第１の通信網と第２の通信網との間の通信を継続することを特徴とする請求項１記載の通信システム。
【請求項３】
前記第２の制御装置は、
当該第２の制御装置と接続する中継装置を選択し、該選択した中継装置に対し、通信網の引き継ぎ要求を行い、
前記引き継ぎ要求を受付けた中継装置は、
前記認証装置の管理手段から接続中の中継装置の情報を取得し、前記接続中の中継装置の情報を前記第２の制御装置に通知し、
前記第２の制御装置は、
前記引き継ぎ要求を行った中継装置から前記接続中の中継装置の情報が通知された場合に、前記接続中の中継装置と接続し、第１の通信網と第２の通信網との間の通信を継続することを特徴とする請求項２記載の通信システム。
【請求項４】
前記第２の制御装置は、
前記接続中の中継装置の情報が通知された場合に、前記接続中の中継装置に対し、通信網の引き継ぎ要求を行い、
前記接続中の中継装置は、
通信網の引き継ぎ要求を受付けた場合に、通信経路を前記第１の制御装置から前記第２の制御装置に切り替え、前記第２の制御装置に対し、前記引き継ぎ要求の応答を行い、
前記第２の制御装置は、
前記引き継ぎ要求の応答を受付けた場合に、第１の通信網と第２の通信網との間の通信を継続することを特徴とする請求項３記載の通信システム。
【請求項５】
前記引き継ぎ要求を受付けた中継装置は、
前記接続中の中継装置の情報が、当該引き継ぎ要求を受付けた中継装置自身の情報と異なる場合に、前記接続中の中継装置の情報を前記第２の制御装置に通知することを特徴とする請求項３記載の通信システム。
【請求項６】
前記第１の制御装置は、
前記認証装置の管理手段から接続中の中継装置の情報を取得し、前記接続中の中継装置に対し、通信網の引き継ぎ要求を行い、
前記接続中の中継装置は、
通信網の引き継ぎ要求を受付けた場合に、前記認証装置の管理手段から接続中の中継装置の情報を取得し、該取得した接続中の中継装置の情報が、当該引き継ぎ要求を受付けた中継装置自身の情報と同一の場合に、前記第１の制御装置に対し、通信網の引き継ぎ要求の応答を行い、
前記第１の制御装置は、
前記引き継ぎ要求の応答を受付けた場合に、第１の通信網と第２の通信網との間の通信を継続することを特徴とする請求項１または２記載の通信システム。
【請求項７】
前記第１の制御装置は、前記認証装置と接続しており、
前記第２の制御装置は、前記中継装置を介して前記認証装置と接続しており、
前記第２の制御装置は、
当該第２の制御装置と接続する中継装置を選択し、該選択した中継装置に対し、通信網の引き継ぎ要求を行い、
前記引き継ぎ要求を受付けた中継装置は、
前記認証装置の管理手段から接続中の中継装置の情報を取得し、前記接続中の中継装置に対し、通信網の引き継ぎ要求を行い、
前記接続中の中継装置は、
前記通信網の引き継ぎ要求を受付けた場合に、前記認証装置の管理手段から接続中の中継装置の情報を取得し、該取得した接続中の中継装置の情報が、当該引き継ぎ要求を受付けた中継装置自身の情報と同一の場合に、前記引き継ぎ要求を受付けた中継装置に対し、通信網の引き継ぎ要求の応答を行い、
前記引き継ぎ要求を受付けた中継装置は、
前記通信網の引き継ぎ要求の応答を受付けた場合に、前記第２の制御装置に対し、前記通信網の引き継ぎ要求の応答を行い、
前記第２の制御装置は、
前記引き継ぎ要求の応答を受付けた場合に、第１の通信網と第２の通信網との間の通信を継続することを特徴とする請求項１記載の通信システム。
【請求項８】
前記第１の通信網は、ＷＬＡＮ網であり、前記第２の通信網は、ＵＭＴＳ網であることを特徴とする請求項１から７の何れか１項に記載の通信システム。
【請求項９】
前記第１の通信網は、ＷＬＡＮ網であり、前記第２の通信網は、ＧＳＭ／ＧＰＲＳ網であることを特徴とする請求項１から７の何れか１項に記載の通信システム。
【請求項１０】
第１の通信網を制御する第１の制御装置と、第２の通信網を制御する第２の制御装置と、前記第１の制御装置と前記第２の制御装置とに接続する中継装置と、前記中継装置を管理する認証装置と、を有して構成される通信システムで行う通信方法であって、
前記認証装置は、第１の通信網と第２の通信網との少なくとも一方の通信網に接続中の中継装置を管理する管理手段を有し、
前記管理手段で管理している接続中の中継装置を前記第１の制御装置と前記第２の制御装置との間で引き継ぎ、第１の通信網と第２の通信網との間の通信を継続することを特徴とする通信方法。
【請求項１１】
前記第１の制御装置は、前記認証装置と接続しており、
前記第２の制御装置は、前記中継装置を介して前記認証装置と接続しており、
前記第２の制御装置は、当該第２の制御装置と接続する中継装置を選択し、該選択した中継装置が第１の通信網と接続中の中継装置と異なる場合には、当該選択した中継装置からの指示により、第１の通信網と接続中の中継装置と接続し、第１の通信網と第２の通信網との間の通信を継続することを特徴とする請求項１０記載の通信方法。
【発明の詳細な説明】
【技術分野】
【０００１】
本発明は、異種網間での通信が可能な通信システム、通信方法に関し、特に、通信装置が第１の網から第２の網へと異なる網に移動した場合でも通信装置の通信を継続することが可能な通信システム、通信方法に関するものである。
【背景技術】
【０００２】
近年、広いエリアで通信可能な携帯電話サービスと、狭いエリアで高速データ通信が可能なＷＬＡＮサービスと、を連携（インタワーク）したシステムが検討されている。
【０００３】
インタワークシステムは、３ＧＰＰ（３ｒｄ Generation Partnership Project）で、ＷＬＡＮ（Wireless LAN）経由で移動通信網のパケットサービスにアクセスするシナリオを実現するアーキテクチャ等が規格化されている。
【０００４】
なお、本発明と関連するインタワーク方式では、ＷＬＡＮからパケット通信を開始するには、移動通信網との相互認証を行う必要があるため、ＷＬＡＮを利用するまでの初期接続に時間を要することになる。
【０００５】
即ち、３ＧＰＰで規定されているＷＬＡＮとのインタワーク方式では、相互認証の後、ＰＤＧのアドレス解決、ＷＬＡＮのトラフィック伝送におけるトンネル作成時の再認証処理、リモートＩＰアドレスの登録を行うので、接続の完了までに時間を要することになる。
【０００６】
このようなことから、本発明より先に出願された技術文献として、移動通信網とＷＬＡＮのインタワークシステムにおいて、ＷＬＡＮからパケット通信を開始するまでの認証処理と接続処理の短縮と、ハンドオーバ時の切替処理に要する時間の短縮と、を可能にするための技術について開示された文献がある（例えば、特許文献１参照）。
【０００７】
また、現状では、接続中の中継装置（３ＧＰＰ規格では、ＧＧＳＮ：Gateway GPRS Support Nodeに相当）をＷＬＡＮ網とＵＭＴＳ網との間で引き継ぐ方法が明確化されていないため、ＷＬＡＮ網とＵＭＴＳ網との間でのハンドオーバを行うことができないのが現状である。
【０００８】
このようなことから、第１の通信網(例えば、ＷＬＡＮ網：Wireless LAN網)と、第２の通信網（例えば、ＵＭＴＭ網：Universal Mobile Telecommunications System網）と、の少なくとも一方の通信網に接続中の中継装置を、当該第１の通信網と第２の通信網との間で引き継ぎ、第１の通信網と第２の通信網との間の通信を継続するためのシステムの開発が必要視されることになる。
【０００９】
また、本発明より先に出願された技術文献として、ＰＤＮの運用者にモバイルＩＰの運用を強制することなく、異種網間のシームレス接続サービスの普及、促進を図る技術について開示された文献がある（例えば、特許文献２参照）。
【００１０】
また、移動通信と無線ＬＡＮ等の複数の無線方式に対応した端末による、携帯電話網（移動通信網）と無線ＬＡＮ間でのパケット通信の途切れのないハンドオーバを実現する技術について開示された文献がある（例えば、特許文献３参照）。
【００１１】
また、端末に新たなミドルウェアを搭載することなく、異種網間で高速にシームレス・ハンドオーバを行うことが可能な技術について開示された文献がある（例えば、特許文献４参照）。
【特許文献１】特開２００６−２４６１９８号公報
【特許文献２】特開２００６−２２２６１６号公報
【特許文献３】特開２００６−１９７５３６号公報
【特許文献４】特開２００６−１９７１０７号公報
【発明の開示】
【発明が解決しようとする課題】
【００１２】
しかしながら、上記特許文献１〜４には、第１の通信網と、第２の通信網と、の少なくとも一方の通信網に接続中の中継装置を、当該第１の通信網と第２の通信網との間で引き継ぎ、第１の通信網と第２の通信網との間の通信を継続することについては何ら記載もその必要性についても示唆されていない。
【００１３】
本発明は、上記事情に鑑みてなされたものであり、上述した課題である、第１の通信網と、第２の通信網と、の少なくとも一方の通信網に接続中の中継装置を、当該第１の通信網と第２の通信網との間で引き継ぎ、第１の通信網と第２の通信網との間の通信を継続することが可能な通信システム、通信方法を提供することを目的とするものである。
【課題を解決するための手段】
【００１４】
かかる目的を達成するために、本発明は、以下の特徴を有することとする。
【００１５】
本発明にかかる通信システムは、
第１の通信網を制御する第１の制御装置と、第２の通信網を制御する第２の制御装置と、前記第１の制御装置と前記第２の制御装置とに接続する中継装置と、前記中継装置を管理する認証装置と、を有して構成される通信システムであって、
前記認証装置は、第１の通信網と第２の通信網との少なくとも一方の通信網に接続中の中継装置を管理する管理手段を有し、
前記管理手段で管理している接続中の中継装置を前記第１の制御装置と前記第２の制御装置との間で引き継ぎ、第１の通信網と第２の通信網との間の通信を継続することを特徴とする。
【００１６】
また、本発明にかかる通信方法は、
第１の通信網を制御する第１の制御装置と、第２の通信網を制御する第２の制御装置と、前記第１の制御装置と前記第２の制御装置とに接続する中継装置と、前記中継装置を管理する認証装置と、を有して構成される通信システムで行う通信方法であって、
前記認証装置は、第１の通信網と第２の通信網との少なくとも一方の通信網に接続中の中継装置を管理する管理手段を有し、
前記管理手段で管理している接続中の中継装置を前記第１の制御装置と前記第２の制御装置との間で引き継ぎ、第１の通信網と第２の通信網との間の通信を継続することを特徴とする。
【発明の効果】
【００１７】
本発明によれば、第１の通信網と、第２の通信網と、の少なくとも一方の通信網に接続中の中継装置を、当該第１の通信網と第２の通信網との間で引き継ぎ、第１の通信網と第２の通信網との間の通信を継続することが可能となる。
【発明を実施するための最良の形態】
【００１８】
＜通信システムの特徴＞
まず、図１を参照しながら、本実施例の通信システムの特徴について説明する。
【００１９】
本実施例における通信システムは、第１の通信網（ＷＬＡＭ網：３１に相当）を制御する第１の制御装置（ＷＬＡＮ網制御装置：１２に相当）と、第２の通信網（ＵＭＴＳ網：３２に相当）を制御する第２の制御装置（ＵＭＴＳ網制御装置：１４に相当）と、第１の制御装置（１２）と第２の制御装置（１４）とに接続する中継装置（１５、１５'）と、中継装置（１５、１５'）を管理する認証装置（１３）と、を有して構成される通信システムである。
【００２０】
そして、認証装置（１３）は、第１の通信網（３１）と第２の通信網（３２）との少なくとも一方の通信網（３１、３２）に接続中の中継装置（１５、１５'）を管理する管理手段（データベース：５０に相当）を有し、管理手段（５０）で管理している接続中の中継装置（１５、１５'）を第１の制御装置（１２）と第２の制御装置（１４）との間で引き継ぎ、第１の通信網（３１）と第２の通信網（３２）との間の通信を継続することを特徴とする。
【００２１】
このように、本実施例の通信システムは、第１の通信網（３１）と、第２の通信網（３２）と、の通信網で共通に使用する中継装置（１５、１５'）に対し、第１の制御装置（１２）と、第２の制御装置（１４）と、が接続可能な網構成において、通信網に接続中の中継装置（１５、１５'）を相互に引き継ぐ（例えば、中継装置のＩＰアドレス）手順を提供し、中継装置（１５、１５'）をアンカーとしたシステム間ハンドオーバを行うことが可能となる。
【００２２】
従って、第１の通信網（３１）と、第２の通信網（３２）と、の少なくとも一方の通信網（３１、３２）に接続中の中継装置（１５、１５'）を、当該第１の通信網(３１)と第２の通信網（３２）との間で引き継ぎ、第１の通信網（３１）と第２の通信網（３２）との間の通信を継続することが可能となる。以下、添付図面を参照しながら、本実施例の通信システムについて説明する。
【００２３】
＜通信システムのシステム構成＞
まず、図１を参照しながら、本実施例の通信システムのシステム構成について説明する。
【００２４】
本実施例における通信システムは、通信端末装置（１１）と、ＷＬＡＮ網（３１）と、ＵＭＴＳ網（３２）と、ＷＬＡＮ網制御装置（１２）と、ＵＭＴＳ網制御装置（１４）と、中継装置１、２（１５、１５'）と、認証装置（１３）と、ＰＤＮ（Packet Data Network）（４１）と、を有して構成している。
【００２５】
なお、図１に示す通信システムの構成では、中継装置（１５、１５'）を２台配備することにしたが、中継装置（１５、１５'）は、少なくとも１台以上の任意の台数で構成することが可能である。
【００２６】
また、図１に示す通信システムのシステム構成において、通信端末装置（１１）は、３ＧＰＰ規格では、ＵＥ（User Equipment）に相当する。また、ＷＬＡＮ網制御装置（１２）は、ＴＴＧ（Tunnel Terminating Gateway）に相当する。また、ＵＭＴＳ網制御装置（１４）は、ＳＧＳＮ（Serving GPRS Support Node）に相当する。また、中継装置１、２（１５、１５'）は、ＧＧＳＮ（Gateway GPRS Support Node）に相当する。また、認証装置（１３）は、ＡＡＡ Serverに相当する。
【００２７】
通信端末装置（１１）は、ＷＬＡＮ網（３１）とＵＭＴＳ網（３２）とのどちらからでも中継装置１（１５）または中継装置２（１５'）に接続可能である。
【００２８】
また、ＷＬＡＮ網（３１）と中継装置１（１５）との間には、ＷＬＡＮ網制御装置（１２）を有し、ＷＬＡＮ網（３１）とＷＬＡＮ網制御装置（１２）とは、インタフェース（２１）を介して接続している。
【００２９】
また、中継装置１（１５）とＷＬＡＮ網制御装置（１２）とは、インタフェース（２７）を介して接続している。
【００３０】
また、ＷＬＡＮ網制御装置（１２）は、インタフェース（２３）を介して認証装置（１３）と接続している。
【００３１】
認証装置（１３）は、ＷＬＡＮ網制御装置（１２）から通信中の中継装置のＩＰアドレスが通知された場合に、通信中の通信端末装置（１１）のＩＭＳＩと、接続中の中継装置のＩＰアドレスと、の組み合わせを認証装置（１３）自身のデータベース（５０）に記憶する。
【００３２】
また、認証装置（１３）は、ＷＬＡＮ網制御装置（１２）から通知されたＩＭＳＩを基に、データベース（５０）を検索し、接続中の中継装置のＩＰアドレスをデータベース（５０）から取得し、ＷＬＡＮ網制御装置（１２）に通知する。
【００３３】
ＵＭＴＳ網（３２）と中継装置１（１５）との間には、ＵＭＴＳ網制御装置（１４）を有し、ＵＭＴＳ網（３２）とＵＭＴＳ網制御装置（１４）とは、インタフェース（２２）を介して接続している。
【００３４】
また、中継装置１（１５）とＵＭＴＳ網制御装置（１４）とは、インタフェース（２５）を介して接続している。
【００３５】
また、中継装置１（１５）は、インタフェース（２４）を介して認証装置（１３）と接続している。
【００３６】
認証装置（１３）は、中継装置１（１５）から通信中の中継装置のＩＰアドレスが通知された場合に、通信中の通信端末装置（１５）のＩＭＳＩと、接続中の中継装置のＩＰアドレスと、の組み合わせを認証装置（１３）自身のデータベース（５０）に記憶する。
【００３７】
また、認証装置（１３）は、中継装置１（１５）から通知されたＩＭＳＩを基に、データベース（５０）を検索し、接続中の中継装置のＩＰアドレスをデータベース（５０）から取得し、中継装置（１５）に通知する。
【００３８】
なお、中継装置１（１５）は、認証装置（１３）から通知された接続中の中継装置のＩＰアドレスが、中継装置１（１５）自身のＩＰアドレスと異なる場合は、その接続中の中継装置のＩＰアドレスをＵＭＴＳ網制御装置（１４）に通知し、中継装置１（１５）自身の接続は解放することになる。
【００３９】
ＵＭＴＳ網制御装置(１４)は、中継装置１（１５）から、別の接続中の中継装置のＩＰアドレス(例えば、中継装置２のＩＰアドレス)が通知された場合に、中継装置１（１５）との接続は解放し、その別の接続中の中継装置２（１５'）に対して再度接続要求を行うことになる。
【００４０】
なお、本実施例における通信システムは、通信端末装置（１１）が、ＷＬＡＮ網（３１）とＵＭＴＳ網（３２）とのどちらのアクセス網からでもＰＤＮ（４１）に接続することが可能な網構成になっている。
【００４１】
例えば、通信端末装置（１１）がアクセス網としてＷＬＡＮ網（３１）を使用している場合は、ＷＬＡＮ網制御装置（１２）、中継装置１、２（１５、１５'）を経由してＰＤＮ（４１）とエンドエンドで通信する。
【００４２】
また、通信端末装置（１１）がアクセス網としてＵＭＴＳ網（３２）を使用している場合は、ＵＭＴＳ網制御装置（１４）、中継装置１、２（１５、１５'）を経由してＰＤＮ（４１）とエンドエンドで通信する。
【００４３】
なお、中継装置１（１５）と中継装置２（１５'）とは、機能的な違いは無く、ＷＬＡＮ網制御装置（１２）の選択ロジックにより任意に選択される。
【００４４】
＜通信システムにおける一連の制御動作＞
次に、図２〜図４を参照しながら、上述した図１の通信システムのシステム構成における制御動作について説明する。なお、図２〜図４は、ＷＬＡＮ網（３１）からＵＭＴＳ網（３２）へのハンドオーバの動作を示している。
【００４５】
なお、図２において、ＵＥは、通信端末装置（１１）を示し、ＴＴＧは、ＷＬＡＮ網制御装置（１２）を示し、ＧＧＳＮ１は、中継装置１（１５）を示し、３ＧＰＰ  ＡＡＡは、認証装置（１３）を示し、ＳＧＳＮは、ＵＭＴＳ網制御装置（１４）を示し、ＧＧＳＮ２は、中継装置２（１５'）を示している。
【００４６】
＜ＷＬＡＮ網：３１からＵＭＴＳ網：３２へのハンドオーバ＞
まず、図１、図２を参照しながら、ＷＬＡＮ網（３１）からＵＭＴＳ網（３２）へのハンドオーバの動作について説明する。
【００４７】
まず、通信端末装置（１１）は、３ＧＰＰの勧告に従った手順でＷＬＡＮ網（３１）から中継装置１（１５）を経由したデータ通信経路（Ｔｕｎｎｅｌ）を確立する（ステップＳ１）。
【００４８】
この時、認証装置（１３）は、中継装置１（１５）を接続中の中継装置として、その中継装置１（１５）のＩＰアドレスと、通信中の通信端末装置（１１）のＩＭＳＩと、の組み合わせを、認証装置（１３）のデータベース（５０）に登録して管理することになる。
【００４９】
その後、図１に示すように、通信端末装置（１１）がＷＬＡＮ網（３１）内からＵＭＴＳ網（３２）内に移動した場合に、通信端末装置（１１）は、ＵＭＴＳ網（３２）側にデータ通信経路を確立するために、接続中のＷ−ＡＰＮと同じ値をＡＰＮに設定したActivate PDP Context Request（ＡＰＮ）をＵＭＴＳ網制御装置（１４）に送信する（ステップＳ２）。
【００５０】
ＵＭＴＳ網制御装置（１４）は、Activate PDP Context Request（ＡＰＮ）を受信すると、そのActivate PDP Context Request（ＡＰＮ）に設定されているＡＰＮを基に、接続先の中継装置を選択する。なお、接続先の中継装置の選択方法は、ＡＰＮを基に選択することが可能であればあらゆる選択方法を適用することが可能であり、例えば、標準の選択論理で接続先の中継装置を選択したり、または、標準の選択論理を修正変更した論理で接続先の中継装置を選択したりすることが可能である。
【００５１】
ＵＭＴＳ網制御装置（１４）は、中継装置２（１５'）を選択したと仮定すると、ＵＭＴＳ網制御装置（１４）は、Create PDP Context Requestを中継装置２（１５'）に送信する（ステップＳ３）。
【００５２】
中継装置２（１５'）は、Create PDP Context Requestを受信すると、中継装置２（１５'）自身のＩＰアドレスを設定したＡccess−Requestを認証装置（１３）に送信する（ステップＳ４）。
【００５３】
認証装置（１３）は、Ａccess−Requestを受信すると、そのＡccess−Requestに設定されているＩＭＳＩをキーとし、認証装置（１３）のデータベース（５０）を検索し、既にＷＬＡＮ網（３１）を経由して接続中の中継装置１（１５）のＩＰアドレスをデータベース（５０）から取得し、その中継装置１（１５）のＩＰアドレスを設定したＡccess−Accept（ＧＧＳＮ１）を中継装置２（１５'）に送信する（ステップＳ５）。
【００５４】
この時、認証装置（１３）は、中継装置２（１５'）のＩＰアドレスと、通信中の通信端末装置（１１）のＩＭＳＩと、の組み合わせを、認証装置（１３）のデータベース（５０）に登録して管理することになる。
【００５５】
なお、認証装置（１３）は、接続中の中継装置のＩＰアドレスをデータベース（５０）から取得できない場合には、中継装置２（１５'）のＩＰアドレスを設定したＡccess−Accept（ＧＧＳＮ２）を中継装置２（１５'）に送信するか、または、ＩＰアドレスを設定せず空のＡccess−Accept（空）を中継装置２（１５'）に送信することになる。この場合も、認証装置（１３）は、中継装置２（１５'）のＩＰアドレスを認証装置（１３）のデータベース（５０）に登録して管理することになる。
【００５６】
中継装置２（１５'）は、Ａccess−Accept（ＧＧＳＮ１）を受信すると、そのＡccess−Acceptに設定されたＩＰアドレスが、中継装置２（１５'）自身のＩＰアドレスとは異なるＩＰアドレスか否かを判断し、Ａccess−Accept（ＧＧＳＮ１）に設定されたＩＰアドレスが、中継装置２（１５'）自身のＩＰアドレスとは異なるＩＰアドレス（ＧＧＳＮ１）の場合には、中継装置２（１５'）自身以外に接続中の中継装置が存在すると判断する。
【００５７】
また、中継装置２（１５'）は、Ａccess−Accept（ＧＧＳＮ１）に設定されたＩＰアドレスが、中継装置２（１５'）自身のＩＰアドレス（ＧＧＳＮ２）、または、空の場合には、中継装置２（１５'）自身以外に接続中の中継装置が存在しないと判断することになる。
【００５８】
図２の場合、Ａccess−Accept（ＧＧＳＮ１）に設定されたＩＰアドレスが、中継装置２（１５'）自身のＩＰアドレスとは異なるＩＰアドレス（ＧＧＳＮ１）であるため、中継装置２（１５'）は、中継装置２（１５'）自身以外に接続中の中継装置が存在すると判断する。そして、中継装置２（１５'）は、その中継装置１（１５）のＩＰアドレスを設定したCreate PDP Context Response（ＧＧＳＮ１）をＵＭＴＳ網制御装置（１４）に送信する（ステップＳ６）。そして、中継装置２（１５'）は、接続用に確保したリソースを解放する。
【００５９】
ＵＭＴＳ網制御装置（１４）は、Create PDP Context Response（ＧＧＳＮ１）を受信すると、そのCreate PDP Context Response（ＧＧＳＮ１）に設定されたＩＰアドレスが、ステップＳ３においてCreate PDP Context Requestを送信した中継装置２（１５'）のＩＰアドレスとは異なる別の中継装置のＩＰアドレスか否かを判断する。
【００６０】
ＵＭＴＳ網制御装置（１４）は、Create PDP Context Response（ＧＧＳＮ１）に設定されたＩＰアドレスが、ステップＳ３においてCreate PDP Context Requestを送信した中継装置２（１５'）のＩＰアドレスとは異なる別の中継装置のＩＰアドレスである場合には、そのCreate PDP Context Response（ＧＧＳＮ１）に設定された接続中の中継装置１（１５）のＩＰアドレスを基に、Create PDP Context Requestを中継装置１（１５）に送信する（ステップＳ７）。
【００６１】
また、ＵＭＴＳ網制御装置（１４）は、Create PDP Context Response（ＧＧＳＮ１）に設定されたＩＰアドレスが、ステップＳ３においてCreate PDP Context Requestを送信した中継装置２（１５'）のＩＰアドレスとは異なる別の中継装置のＩＰアドレスである場合には、中継装置２（１５'）との接続を解放することになる。
【００６２】
中継装置１（１５）は、Create PDP Context Requestを受信すると、データ通信経路をＷＬＡＮ網制御装置（１２）からＵＭＴＳ網制御装置（１４）に切り替え、使用中のユーザＩＰアドレスを設定し、Create PDP Context ResponseをＵＭＴＳ網制御装置（１４）に送信する（ステップＳ８）。
【００６３】
ＵＭＴＳ網制御装置（１４）は、Create PDP Context Responseを受信すると、Activate PDP Context Acceptを通信端末装置（１１）に送信する（ステップＳ９）。
【００６４】
通信端末装置（１１）は、Activate PDP Context Acceptを受信すると、データ通信経路をＷＬＡＮ網（３１）からＵＭＴＳ網（３２）側に切り替える。
【００６５】
中継装置１（１５）は、データ通信経路をＷＬＡＮ網制御装置（１２）からＵＭＴＳ網制御装置（１４）に切り替えた後、ＷＬＡＮ網（３１）側のデータ通信経路を切断する（ステップＳ１０）。
【００６６】
なお、図２のステップＳ３において、ＵＭＴＳ網制御装置（１４）が中継装置１（１５）を選択した場合を図３に示す。
【００６７】
この場合には、ＵＭＴＳ網制御装置（１４）は、Create PDP Context Requestを中継装置１（１５）に送信する（ステップＳ３）。
【００６８】
中継装置１（１５）は、Create PDP Context Requestを受信すると、中継装置１（１５）自身のＩＰアドレスを設定したＡccess−Requestを認証装置（１３）に送信する（ステップＳ４）。
【００６９】
認証装置（１３）は、Ａccess−Requestを受信すると、そのＡccess−Requestに設定されているＩＭＳＩをキーとし、認証装置（１３）のデータベース（５０）を検索し、既にＷＬＡＮ網（３１）を経由して接続中の中継装置１（１５）のＩＰアドレスをデータベース（５０）から取得し、その中継装置１（１５）のＩＰアドレスを設定したＡccess−Accept（ＧＧＳＮ１）を中継装置１（１５）に送信する（ステップＳ５）。
【００７０】
中継装置１（１５）は、Ａccess−Accept（ＧＧＳＮ１）を受信すると、そのＡccess−Accept（ＧＧＳＮ１）に設定されたＩＰアドレスが、中継装置１（１５）自身のＩＰアドレスとは異なるＩＰアドレスか否かを判断し、Ａccess−Accept（ＧＧＳＮ１）に設定されたＩＰアドレスが、中継装置１（１５）自身のＩＰアドレスとは異なるＩＰアドレス（ＧＧＳＮ２）の場合には、中継装置１（１５）自身以外に接続中の中継装置が存在すると判断する。
【００７１】
また、中継装置１（１５）は、Ａccess−Accept（ＧＧＳＮ１）に設定されたＩＰアドレスが、中継装置１（１５）自身のＩＰアドレス（ＧＧＳＮ１）、または、空の場合には、中継装置１（１５）自身以外に接続中の中継装置が存在しないと判断することになる。
【００７２】
図３の場合、Ａccess−Accept（ＧＧＳＮ１）に設定されたＩＰアドレスが、中継装置１（１５）自身のＩＰアドレス（ＧＧＳＮ１）であるため、中継装置１（１５）は、中継装置１（１５）自身以外に接続中の中継装置が存在しないと判断する。そして、中継装置１（１５）は、その中継装置１（１５）のＩＰアドレスを設定したCreate PDP Context Response（ＧＧＳＮ１）をＵＭＴＳ網制御装置（１４）に送信する（ステップＳ６）。
【００７３】
ＵＭＴＳ網制御装置（１４）は、Create PDP Context Response（ＧＧＳＮ１）を受信すると、そのCreate PDP Context Response（ＧＧＳＮ１）に設定されたＩＰアドレスが、ステップＳ３においてCreate PDP Context Requestを送信した中継装置１（１５）のＩＰアドレスとは異なる別の中継装置のＩＰアドレスか否かを判断する。
【００７４】
ＵＭＴＳ網制御装置（１４）は、Create PDP Context Response（ＧＧＳＮ１）に設定されたＩＰアドレスが、ステップＳ３においてCreate PDP Context Requestを送信した中継装置１（１５）のＩＰアドレスと同一の中継装置のＩＰアドレスである場合には、Activate PDP Context Acceptを通信端末装置（１１）に送信する（ステップＳ９）。
【００７５】
また、図２のステップＳ５において、中継装置２（１５'）のＩＰアドレスを設定したＡccess−Accept（ＧＧＳＮ２）を中継装置２（１５'）に送信するか、または、ＩＰアドレスを設定せず空のＡccess−Accept（空）を中継装置２（１５'）に送信した場合を図４に示す。
【００７６】
この場合には、Ａccess−Accept（ＧＧＳＮ２、または空）に設定されたＩＰアドレスが、中継装置２（１５'）自身のＩＰアドレス（ＧＧＳＮ２）または、空であるため、中継装置２（１５'）は、中継装置２（１５'）自身以外に接続中の中継装置が存在しないと判断する。そして、中継装置２（１５'）は、その中継装置２（１５'）自身のＩＰアドレスを設定したCreate PDP Context Response（ＧＧＳＮ２）をＵＭＴＳ網制御装置（１４）に送信する（ステップＳ６）。
【００７７】
ＵＭＴＳ網制御装置（１４）は、Create PDP Context Response（ＧＧＳＮ２）を受信すると、そのCreate PDP Context Response（ＧＧＳＮ２）に設定されたＩＰアドレスが、ステップＳ３においてCreate PDP Context Requestを送信した中継装置２（１５'）のＩＰアドレスとは異なる中継装置のＩＰアドレスか否かを判断する。
【００７８】
ＵＭＴＳ網制御装置（１４）は、Create PDP Context Response（ＧＧＳＮ２）に設定されたＩＰアドレスが、ステップＳ３においてCreate PDP Context Requestを送信した中継装置２（１５'）のＩＰアドレスと同一の中継装置のＩＰアドレスである場合には、Activate PDP Context Acceptを通信端末装置（１１）に送信する（ステップＳ９）。
【００７９】
＜ＵＭＴＳ網：３２からＷＬＡＮ網：３１へのハンドオーバ＞
次に、図１、図５を参照しながら、ＵＭＴＳ網（３２）からＷＬＡＮ網（３１）へのハンドオーバの動作について説明する。なお、図５は、ＵＭＴＳ網（３２）からＷＬＡＮ網（３１）へのハンドオーバの動作を示している。
【００８０】
まず、通信端末装置（１１）は、３ＧＰＰの勧告に従った手順でＵＭＴＳ網（３２）から中継装置１（１５）を経由したデータ通信経路を確立する（ステップＡ１）。
【００８１】
この時、認証装置（１３）は、中継装置１（１５）のＩＰアドレスと、通信中の通信端末装置（１１）のＩＭＳＩと、の組み合わせを、認証装置（１３）のデータベース（５０）に登録して管理することになる。
【００８２】
その後、図１に示すように、通信端末装置（１１）がＵＭＴＳ網（３２）内からＷＬＡＮ網（３１）内に移動し、ＷＬＡＮ網（３１）側にデータ通信経路を確立するために、接続中のＡＰＮと同じ値をＷ−ＡＰＮに設定したＥ２Ｅ Tunnel Establishment RequestをＷＬＡＮ網制御装置（１２）に送信する（ステップＡ２）。
【００８３】
ＷＬＡＮ網制御装置（１２）は、Ｅ２Ｅ Tunnel Establishment Requestを受信すると、認証装置（１３）から認証データを取得する際に、ＵＭＴＳ網（３２）側で接続中の中継装置１（１５）のＩＰアドレスを認証装置（１３）から取得する（ステップＡ３）。
【００８４】
ＷＬＡＮ網制御装置（１２）は、ステップＡ３で取得した中継装置１（１５）のＩＰアドレスを基に、Create PDP Context Requestを中継装置１（１５）に送信する（ステップＡ４）。
【００８５】
中継装置１（１５）は、Create PDP Context Requestを受信すると、中継装置１（１５）自身のＩＰアドレスを設定したＡccess−Requestを認証装置（１３）に送信する（ステップＡ５）。
【００８６】
認証装置（１３）は、Ａccess−Requestを受信すると、そのＡccess−Requestに設定されているＩＭＳＩをキーにして、認証装置（１３）のデータベース（５０）を検索し、既にＷＬＡＮ網（３１）を経由して接続中の中継装置１（１５）のＩＰアドレスを取得し、その中継装置１（１５）のＩＰアドレスを設定したＡccess−Accept（ＧＧＳＮ１）を中継装置１（１５）に送信する（ステップＡ６）。
【００８７】
中継装置１（１５）は、Ａccess−Accept（ＧＧＳＮ１）を受信すると、そのＡccess−Accept（ＧＧＳＮ１）に中継装置１（１５）自身のＩＰアドレスが設定されているため、使用中のユーザＩＰアドレスを設定したCreate PDP Context ResponseをＷＬＡＮ網制御装置（１２）に送信する（ステップＡ７）。
【００８８】
ＷＬＡＮ網制御装置（１２）は、Create PDP Context Responseを受信すると、Ｅ２Ｅ Tunnel Establishment Requestを通信端末装置（１１）に送信する。
【００８９】
中継装置１（１５）は、データ通信経路をＵＭＴＳ網制御装置（１４）からＷＬＡＮ網制御装置（１２）に切り替えた後、ＵＭＴＳ網（３２）側のデータ通信経路を切断する（ステップＡ９）。
【００９０】
このように、本実施例における通信システムは、ＷＬＡＮ網（３１）とＵＭＴＳ網（３２）との間を通信端末装置（１１）が移動し、それぞれの網に対してデータ通信経路を設定する手順の中で、認証装置（１３）を介して接続中の中継装置のＩＰアドレスをＷＬＡＮ網制御装置（１２）とＵＭＴＳ網制御装置（１４）との間で引き継ぐことで、中継装置１、２（１５、１５'）をアンカーとすることができるため、データ通信を継続させながら通信システム間のハンドオーバを実現することが可能となる。
【００９１】
なお、本実施例における通信システムは、ＷＬＡＮ網（３１）と、ＵＭＴＳ網（３２）と、のそれぞれの接続時に、接続中の中継装置のＩＰアドレスを、ＷＬＡＮ網制御装置（１２）と、ＵＭＴＳ網制御装置（１４）と、から認証装置（１３）に登録することになる。
【００９２】
また、ＷＬＡＮ網制御装置（１２）と、ＵＭＴＳ網制御装置（１４）と、は、認証装置（１３）から接続中の中継装置のＩＰアドレスを取得することになる。
【００９３】
なお、ＵＭＴＳ網（３２）の接続時には、認証装置（１３）に接続する前に、ＵＭＴＳ網制御装置（１４）が、中継装置（１５または１５'）と接続する必要がある。このため、ＵＭＴＳ網制御装置（１４）は、中継装置（１５または１５'）を仮選択し、その仮選択した中継装置（１５または１５'）が、接続中の中継装置と異なる場合には、その仮選択した中継装置（１５または１５'）からの指示により、ＷＬＡＮ網（３１）に接続中の中継装置に再接続することになる。
【００９４】
なお、図２では、ＵＭＴＳ網制御装置（１４）が仮選択した中継装置２（１５'）は、接続中の中継装置と異なるため、中継装置（１５'）は、ＷＬＡＮ網（３１）に接続中の中継装置１（１５）に再接続するための指示を、ＵＭＴＳ網制御装置（１４）に対して行い、ＵＭＴＳ網制御装置（１４）は、ＷＬＡＮ網（３１）に接続中の中継装置に再接続することになる。
【００９５】
（第２の実施例）
次に、第２の実施例について説明する。
【００９６】
第１の実施例における通信システムは、図２に示すように、中継装置２（１５'）は、認証装置（１３）からＡccess−Accept（ＧＧＳＮ１）を受信すると、Create PDP Context RequestをＵＭＴＳ網制御装置（１４）に送信し（ステップＳ６）、ＵＭＴＳ網制御装置（１４）と、中継装置１（１５）と、の間で通信を行い（ステップＳ７、８）、データ通信を継続させながら通信システム間のハンドオーバを実現することにした。
【００９７】
第２の実施例における通信システムは、図６に示すように、中継装置２（１５'）は、認証装置（１３）からＡccess−Accept（ＧＧＳＮ１）を受信すると、Create PDP Context Requestを中継装置１（１５）に送信し（ステップＢ６）、Create PDP Context Requestを受信した中継装置１（１５）が、認証装置（１３）から接続中の中継装置のＩＰアドレスを取得し（ステップＢ７、８）、その取得した接続中の中継装置のＩＰアドレスに応じたCreate PDP Context Responseを中継装置２（１５'）に送信し（ステップＢ９）、中継装置２（１５'）は、中継装置１（１５）から受信したCreate PDP Context Responseに応じたCreate PDP Context ResponseをＵＭＴＳ網制御装置（１４）に送信し（ステップＢ１０）、データ通信を継続させながら通信システム間のハンドオーバを実現することを特徴とする。
【００９８】
これにより、第１の実施例の通信システムと同様に、データ通信を継続させながら通信システム間のハンドオーバを実現することが可能となる。以下、図６を参照しながら、第２の実施例の通信システムについて説明する。
【００９９】
第２の実施例における通信システムは、図１と同様なシステムを構成し、各装置間で行う手順が異なることになる。以下、図６を参照しながら、第２の実施例における制御動作について説明する。なお、図６は、図２に示すＷＬＡＮ網（３１）からＵＭＴＳ網（３２）へのハンドオーバ時の手順の一部を変更した場合の処理動作を示す図である。
【０１００】
第２の実施例における通信システムは、図６に示す処理動作において、ステップＢ１〜ステップＢ５までの手順は、図２に示すステップＳ１〜ステップＳ５と同様の手順で行うことになる。
【０１０１】
次に、中継装置２（１５'）は、Ａccess−Accept（ＧＧＳＮ１）を受信すると、そのＡccess−Accept（ＧＧＳＮ１）に、接続中の中継装置１（１５）のＩＰアドレスが設定されているため、Create PDP Context Requestを中継装置１（１５）に送信する（ステップＢ６）。
【０１０２】
中継装置１（１５）は、Create PDP Context Requestを受信すると、Ａccess-Requestを認証装置（１３）に送信する（ステップＢ７）。
【０１０３】
認証装置（１３）は、Ａccess-Requestを受信すると、接続中の中継装置１（１５）のＩＰアドレスを設定したＡccess−Accept（ＧＧＳＮ１）を中継装置１（１５）に送信する（ステップＢ８）。
【０１０４】
中継装置１（１５）は、Ａccess−Accept（ＧＧＳＮ１）を受信すると、接続中のＩＰアドレスが中継装置１（１５）自身のＩＰアドレスであるため、接続中のユーザＩＰアドレスを設定したCreste PDP Context Responseを中継装置２（１５'）に送信する（ステップＢ９）。
【０１０５】
中継装置２（１５'）は、Creste PDP Context Responseを受信すると、そのCreste PDP Context Responseに設定されているユーザＩＰアドレスを引継ぎ、Create PDP Context Responseに設定し、ＵＭＴＳ網制御装置（１４）に送信する（ステップＢ１０）。
【０１０６】
ＵＭＴＳ網制御装置（１４）は、Create PDP Context Responseを受信すると、Activate PDP Context Acceptを通信端末装置（１１）に送信する（ステップＢ１１）。
【０１０７】
通信端末装置（１１）は、Activate PDP Context Acceptを受信すると、データ通信経路をＵＭＴＳ網（３２）側に切り替える。
【０１０８】
中継装置１（１４）は、データ通信経路をＷＬＡＮ網制御装置（１２）からＵＭＴＳ網制御装置（１４）に切り替えた後、ＷＬＡＮ網（３１）側のデータ通信経路を切断する（ステップＢ１２）。
【０１０９】
このように、第２の実施例における通信システムは、図２に示すＷＬＡＮ網（３１）からＵＭＴＳ網（３２）へのハンドオーバ時の手順の一部を変更しても、第１の実施例の通信システムと同様に、データ通信を継続させながら通信システム間のハンドオーバを実現することが可能となる。
【０１１０】
なお、上述する実施例は、本発明の好適な実施例であり、上記実施例のみに本発明の範囲を限定するものではなく、本発明の要旨を逸脱しない範囲において当業者が上記実施例の修正や代用を行い、種々の変更を施した形態を構築することは可能である。
【０１１１】
例えば、上述した通信システムは、ＷＬＡＮ網（３１）とＵＭＴＳ網（３２）との間の通信を行うシステムを例として説明したが、ＵＭＴＳ網（３２）をＢＳＳ（ＧＳＭ：Global System for Mobile communication／ＧＰＲＳ：General Packet Radio Service網）に置き換えたシステム構成でも、本実施例の技術思想を適用することは可能である。
【０１１２】
また、ＧＳＭ／ＥＤＧＥ：Enhanced Data GSM Environment網に置き換えたシステム構成でも、本実施例の技術思想を適用することは可能である。
【０１１３】
また、上述した実施例における通信システムを構成する装置における制御動作は、ハードウェア、または、ソフトウェア、あるいは、両者の複合構成によって実行することも可能である。
【０１１４】
なお、ソフトウェアによる処理を実行する場合には、処理シーケンスを記録したプログラムを、専用のハードウェアに組み込まれているコンピュータ内のメモリにインストールして実行させるか、あるいは、各種処理が実行可能な汎用コンピュータにプログラムをインストールして実行させることが可能である。
【０１１５】
例えば、プログラムは、記録媒体としてのハードディスクやＲＯＭ（Read Only Memory）に予め記録しておくことが可能である。あるいは、プログラムは、フロッピー（登録商標）ディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【０１１６】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送したりし、コンピュータでは、転送されてきたプログラムを受信し、内蔵するハードディスク等の記録媒体にインストールすることが可能である。
【０１１７】
また、上記実施例で説明した処理動作に従って時系列的に実行されるのみならず、処理を実行する装置の処理能力、あるいは、必要に応じて並列的にあるいは個別に実行するように構築することも可能である。また、上記実施例で説明した通信システムは、複数の装置の論理的集合構成にしたり、各装置の機能を混在させたりするように構築することも可能である。
【０１１８】
本実施例は、以下の特徴を有することとする。なお、以下に説明する『』の中の記載は、『特許請求の範囲』と、『発明の実施の形態』と、の対応関係を明らかにするために付加したものであり、『特許請求の範囲』に記載されている発明の技術的範囲の解釈を意識的に限定するものではない。
【０１１９】
本実施例にかかる通信システムは、
第１の通信網『３１』を制御する第１の制御装置『１２』と、第２の通信網『３２』を制御する第２の制御装置『１４』と、前記第１の制御装置『１２』と前記第２の制御装置『１４』とに接続する中継装置『１５、１５'』と、前記中継装置『１５、１５'』を管理する認証装置『１３』と、を有して構成される通信システムであって、
前記認証装置『１３』は、第１の通信網『３１』と第２の通信網『３２』との少なくとも一方の通信網『３１、３２』に接続中の中継装置『１５、１５'』を管理する管理手段『５０』を有し、
前記管理手段『５０』で管理している接続中の中継装置『１５、１５'』を前記第１の制御装置『１２』と前記第２の制御装置『１４』との間で引き継ぎ、第１の通信網『３１』と第２の通信網『３２』との間の通信を継続することを特徴とする。
【０１２０】
また、本実施例にかかる通信システムにおいて、
前記第１の制御装置『１２』は、前記認証装置『１３』と接続しており、
前記第２の制御装置『１４』は、前記中継装置『１５、１５'』を介して前記認証装置『１３』と接続しており、
前記第２の制御装置『１４』は、当該第２の制御装置『１４』と接続する中継装置『例えば、１５'』を選択し、該選択した中継装置『１５'』が第１の通信網『３１』と接続中の中継装置『例えば、１５』と異なる場合には、当該選択した中継装置『１５'』からの指示により、第１の通信網『３１』と接続中の中継装置『１５』と接続し、第１の通信網『３１』と第２の通信網『３２』との間の通信を継続することを特徴とする。
【０１２１】
また、本実施例にかかる通信システムにおいて、
前記第２の制御装置『１４』は、
当該第２の制御装置『１４』と接続する中継装置『１５'』を選択し、該選択した中継装置『１５'』に対し、通信網の引き継ぎ要求を行い『Create PDP Context Request：Ｓ３』、
前記引き継ぎ要求を受付けた中継装置『１５'』は、
前記認証装置『１３』の管理手段『５０』から接続中の中継装置『１５』の情報を取得し『Ａccess−Request：Ｓ４、Ａccess−Accept（ＧＧＳＮ１）：Ｓ５』、前記接続中の中継装置『１５』の情報を前記第２の制御装置『１４』に通知し『Create PDP Context Response（ＧＧＳＮ１）：Ｓ６』、
前記第２の制御装置『１４』は、
前記引き継ぎ要求を行った中継装置『１５'』から前記接続中の中継装置『１５』の情報が通知された場合に『Create PDP Context Response（ＧＧＳＮ１）：Ｓ６』、前記接続中の中継装置『１５』と接続し、第１の通信網『３１』と第２の通信網『３２』との間の通信を継続することを特徴とする。
【０１２２】
また、本実施例にかかる通信システムにおいて、
前記第２の制御装置『１４』は、
前記接続中の中継装置『１５』の情報が通知された場合に『Create PDP Context Response（ＧＧＳＮ１）：Ｓ６』、前記接続中の中継装置『１５』に対し、通信網の引き継ぎ要求を行い『Create PDP Context Request：Ｓ７』、
前記接続中の中継装置『１５』は、
通信網の引き継ぎ要求を受付けた場合に『Create PDP Context Request：Ｓ７』、通信経路を前記第１の制御装置『１２』から前記第２の制御装置『１４』に切り替え、前記第２の制御装置『１４』に対し、前記引き継ぎ要求の応答を行い『Create PDP Context Response：Ｓ８』、
前記第２の制御装置『１４』は、
前記引き継ぎ要求の応答を受付けた場合に『Create PDP Context Response：Ｓ８』、第１の通信網『３１』と第２の通信網『３２』との間の通信を継続することを特徴とする。
【０１２３】
また、本実施例にかかる通信システムにおいて、
前記引き継ぎ要求を受付けた中継装置『１５'』は、
前記接続中の中継装置『１５』の情報が、当該引き継ぎ要求を受付けた中継装置『１５'』自身の情報と異なる場合に、前記接続中の中継装置『１５』の情報を前記第２の制御装置『１４』に通知することを特徴とする『Create PDP Context Response（ＧＧＳＮ１）：Ｓ６』。
【０１２４】
また、本実施例にかかる通信システムにおいて、
前記第１の制御装置『１２』は、
前記認証装置『１３』の管理手段『５０』から接続中の中継装置『１５』の情報を取得し『Retrieving Authentication，Authorization and GGSN IP：Ａ３』、前記接続中の中継装置『１５』に対し、通信網の引き継ぎ要求を行い『Create PDP Context Request：Ａ４』、
前記接続中の中継装置『１５』は、
通信網の引き継ぎ要求を受付けた場合に『Create PDP Context Request：Ａ４』、前記認証装置『１３』の管理手段『５０』から接続中の中継装置『１５』の情報を取得し『Ａccess−Request：Ａ５、Ａccess−Accept（ＧＧＳＮ１）：Ａ６』、該取得した接続中の中継装置『１５』の情報が、当該引き継ぎ要求を受付けた中継装置『１５』自身の情報と同一の場合に、前記第１の制御装置『１２』に対し、通信網の引き継ぎ要求の応答を行い『Create PDP Context Response：Ａ７』、
前記第１の制御装置『１２』は、
前記引き継ぎ要求の応答を受付けた場合に『Create PDP Context Response：Ａ７』、第１の通信網『３１』と第２の通信網『３２』との間の通信を継続することを特徴とする。
【０１２５】
また、本実施例にかかる通信システムにおいて、
前記第１の制御装置『１２』は、前記認証装置『１３』と接続しており、
前記第２の制御装置『１４』は、前記中継装置『１５、１５'』を介して前記認証装置『１３』と接続しており、
前記第２の制御装置『１４』は、
当該第２の制御装置『１４』と接続する中継装置『例えば、１５'』を選択し、該選択した中継装置『１５'』に対し、通信網の引き継ぎ要求を行い『Create PDP Context Request:Ｂ３』、
前記引き継ぎ要求を受付けた中継装置『１５'』は、
前記認証装置『１３』の管理手段『５０』から接続中の中継装置『１５』の情報を取得し『Ａccess−Request：Ｂ４、Ａccess−Accept（ＧＧＳＮ１）：Ｂ５』、前記接続中の中継装置『１５』に対し、通信網の引き継ぎ要求を行い『Create PDP Context Request:Ｂ６』、
前記接続中の中継装置『１５』は、
前記通信網の引き継ぎ要求を受付けた場合に『Create PDP Context Request:Ｂ６』、前記認証装置『１３』の管理手段『５０』から接続中の中継装置『１５』の情報を取得し『Ａccess−Request：Ｂ７、Ａccess−Accept（ＧＧＳＮ１）：Ｂ８』、該取得した接続中の中継装置『１５』の情報が、当該引き継ぎ要求を受付けた中継装置『１５』自身の情報と同一の場合に、前記引き継ぎ要求を受付けた中継装置『１５'』に対し、通信網の引き継ぎ要求の応答を行い『Create PDP Context Response：Ｂ９』、
前記引き継ぎ要求を受付けた中継装置『１５'』は、
前記通信網の引き継ぎ要求の応答を受付けた場合に『Create PDP Context Response：Ｂ９』、前記第２の制御装置『１４』に対し、前記通信網の引き継ぎ要求の応答を行い『Create PDP Context Response：Ｂ１０』、
前記第２の制御装置『１４』は、
前記引き継ぎ要求の応答を受付けた場合に『Create PDP Context Response：Ｂ１０』、第１の通信網『３１』と第２の通信網『３２』との間の通信を継続することを特徴とする。
【０１２６】
また、本実施例にかかる通信システムにおいて、
前記第１の通信網『３１』は、ＷＬＡＮ網であり、前記第２の通信網『３２』は、ＵＭＴＳ網であることを特徴とする。
【０１２７】
また、本実施例にかかる通信システムにおいて、
前記第１の通信網『３１』は、ＷＬＡＮ網であり、前記第２の通信網『３２』は、ＧＳＭ／ＧＰＲＳ網であることを特徴とする。
【０１２８】
また、本実施例にかかる通信方法は、
第１の通信網『３１』を制御する第１の制御装置『１２』と、第２の通信網『３２』を制御する第２の制御装置『１４』と、前記第１の制御装置『１２』と前記第２の制御装置『１４』とに接続する中継装置『１５、１５'』と、前記中継装置『１５、１５'』を管理する認証装置『１３』と、を有して構成される通信システムで行う通信方法であって、
前記認証装置『１３』は、第１の通信網『３１』と第２の通信網『３２』との少なくとも一方の通信網『３１、３２』に接続中の中継装置『１５、１５'』を管理する管理手段『５０』を有し、
前記管理手段『５０』で管理している接続中の中継装置『１５、１５'』を前記第１の制御装置『１２』と前記第２の制御装置『１４』との間で引き継ぎ、第１の通信網『３１』と第２の通信網『３２』との間の通信を継続することを特徴とする。
【産業上の利用可能性】
【０１２９】
本発明にかかる通信システム、通信方法は、移動通信事業が、３Ｇ携帯電話のサービス強化し、ＷＬＡＮ網とＵＭＴＳ網とのハンドオーバを行うことが可能なサービスに適用可能である。
【図面の簡単な説明】
【０１３０】
【図１】本実施例の通信システムのシステム構成を示す図である。
【図２】本実施例の通信システムにおける一連の処理動作を示すシーケンスチャートであり、ＷＬＡＮ網（３１）からＵＭＴＳ網（３２）へのハンドオーバの第１の動作例を示す。
【図３】本実施例の通信システムにおける一連の処理動作を示すシーケンスチャートであり、ＷＬＡＮ網（３１）からＵＭＴＳ網（３２）へのハンドオーバの第２の動作例を示す。
【図４】本実施例の通信システムにおける一連の処理動作を示すシーケンスチャートであり、ＷＬＡＮ網（３１）からＵＭＴＳ網（３２）へのハンドオーバの第３の動作例を示す。
【図５】本実施例の通信システムにおける一連の処理動作を示すシーケンスチャートであり、ＵＭＴＳ網（３２）からＷＬＡＮ網（３１）へのハンドオーバの動作例を示す。
【図６】第２の実施例の通信システムにおける一連の処理動作を示すシーケンスチャートであり、ＷＬＡＮ網（３１）からＵＭＴＳ網（３２）へのハンドオーバの動作例を示す。
【符号の説明】
【０１３１】
１１    通信端末装置：ＵＥ（User Equipment）
１２    ＷＬＡＮ網制御装置：ＴＴＧ（Tunnel Terminating Gateway）
１３    認証装置：ＡＡＡ Server
１４    ＵＭＴＳ網制御装置：ＳＧＳＮ（Serving GPRS Support Node）
１５    中継装置１：ＧＧＳＮ（Gateway GPRS Support Node）１
１５'    中継装置２：ＧＧＳＮ（Gateway GPRS Support Node）２
３１    ＷＬＡＮ網
３２    ＵＭＴＳ網
４１    ＰＤＮ（Packet Data Network）
２１、２２、２３、２４、２４'、２５、２５'、２６、２６'、２７、２７'    インタフェース
【図１】
2008278244.tif 000003
【図２】
2008278244.tif 000004
【図３】
2008278244.tif 000005
【図４】
2008278244.tif 000006
【図５】
2008278244.tif 000007
【図６】
2008278244.tif 000008